(57)【要約】【解決手段】ドアのフレーム(15)の上部梁部材(14)に固定されたガイド(13)内をスライド可能に設けられた移動部材に対し、開閉体(12)をそのほぼ中央領域において軸支するための鉛直方向の第１軸(11)を規定する第１軸支手段と、第１軸支手段の軸線に平行な軸線を有し、わき柱(18)に近接する側のフレーム(15)に一端がそれぞれ軸支された第１上部アーム(16)及び第２下部アーム(17)の２つのアームを軸支する第２軸支手段とを備え、２つのアームの他端(23,24)は、第１軸(11)及び第２軸(20)の間にあって開閉体(12)内を上下に貫通する第３回転軸を規定するロッド(25)によって互いに連結されている。第２軸支手段は、近接するわき柱(18)からの第２回転軸(20)の距離を調整する手段によりフレーム(15)に固定連結され、ロッド(25)はアーム(16,17)との非溶接接合を行う連結部材(27)により２つのアームのうちの少なくとも１つに固定されている。【選択図】図１
2009509071.tif 000002
【特許請求の範囲】
【請求項１】
回転スライド動作を有するドア又は類似の開閉装置の据付機構であって、開閉体等と組み合わせて用いられる部材が、
ドア又は類似の開閉装置のフレーム（１５）における上部又は下部梁部材（１４）の少なくとも一方に組み付けられているガイド（１３）内でスライド可能に設けられた移動手段に対し、上記開閉体（１２）をそのほぼ中央領域において軸支するための鉛直方向の第１軸（１１）を規定する第１軸支手段と、
上記第１軸支手段の軸線と平行な軸線を有して、第１上部アーム（１６）及び第２下部アーム（１７）からなる２つのアーム（１６．１７）の一端である第１端部（２１，２２）を、わき柱（１８）に近接する上記フレーム１５に軸支して第２回転軸（２０）を規定する第２軸支手段とを備え、
上記第１上部アーム（１６）及び第２下部アーム（１７）の他端である第２端部（２３，２４）が上記開閉体（１２）に連結されることにより、上記第１軸（１１）と上記第２回転軸（２０）との間に位置して上記開閉体（１２）を上下方向に貫通する第３回転軸（２６）が規定されている、回転スライド動作を有するドア又は類似の開閉装置の据付機構において、
上記第２軸支手段は、近接する側のわき柱（１８）からの上記第２回転軸（２０）の距離を調整するための手段により、上記フレーム（１５）に固定されており、
上記第２端部（２３，２４）は、上記開閉体（１２）を上下に貫通して上記第３回転軸（２６）を規定するロッド（２５）により互いに連結され、
上記ロッド（２５）は、上記第１上部アーム（１６）及び第２下部アーム（１７）の少なくとも一方に、連結固定部材（２７）を用いて非溶接接合により固定されていることを特徴とする回転スライド動作を有するドア又は類似の開閉装置の据付機構。
【請求項２】
上記フレーム（１５）における２つのわき柱（１８，１９）の間隔を調整するための手段を備えることを特徴とする請求項１に記載の回転スライド動作を有するドア又は類似の開閉装置の据付機構。
【請求項３】
上記ガイド（１３）は、上記上部梁部材（１４）に固定された成形体により構成され、
上記成形体は、略Ｃ字状をなす断面形状を有し、下方に向く開口（２８）と、上記開口（２８）を形成する上記成形体の水平部（３０）において互いに対向する端部（２９）のそれぞれに設けられた長手方向溝（３１）とからなることを特徴とする請求項１又は２に記載の回転スライド動作を有するドア又は類似の開閉装置の据付機構。
【請求項４】
上記第１アーム（１６）について、近接する側のわき柱（１８）からの上記第２回転軸（２０）の距離を調整するための上記手段は、
対向する上記長手方向溝（３１）内に挿入されるように形成された２つの縁部（３２ａ）を両端に備えたプレート（３２）と、
上記プレート（３２）から突設された筒状体（３３）であって、対応する形状を有して上記第１アーム（１６）の第１端部（２１）に固定された回転リング（３４）内に挿入される筒状体（３３）とによって構成され、
上記プレート（３２）は、上記成形体の長手方向に上記長手方向溝（３１）内を移動することによりその位置が設定されると共に、上記プレート（３２）が挿入されている領域において上記成形体の２つの対向する縦壁（３７）に形成された孔（３６）を貫通するねじ部材（３５）を用いてその位置を固定可能であり、
上記ねじ部材（３５）は、上記成形体を締め付けることにより上記２つの対向する水平部（３０）の間に上記プレート（３２）を固定することを特徴とする請求項１乃至３のいずれかに記載の回転スライド動作を有するドア又は類似の開閉装置の据付機構。
【請求項５】
上記第２下部アーム（１７）について、近接する側のわき柱（１８）からの上記第２回転軸（２０）の距離を調整するための上記手段は、
上記フレーム（１５）のわき柱（１８）下部に固定された台座（４０）の開口空洞（３９）内に、その第１部位（３８ａ）が挿入されると共に、残りの第２部位（３８ｂ）が突出して筒状体（４１）を支持している板状部材（３８）によって構成され、
上記筒状体（４１）は、対応する形状を有して上記第２アーム（１７）の端部（２２）に固定された回転リング（４２）内に挿入され、
上記板状部材（３８）は、上記開口空洞（３９）内を上記台座（４０）の内方或いは外方に向けてスライドして上記筒状体（４１）の位置を変更可能であり、
上記筒状体（４１）の位置は、上記台座（４０）に形成され、上記開口空洞（３９）の長手方向に直交する軸線を有して上記開口空洞（３９）内に開口するねじ孔に、ねじ部材（４３）が螺合することにより固定され、
上記ねじ部材（４３）は、上記板状部材（３８）の上記第１部位（３８ａ）の側部に圧接するまでねじ込まれることを特徴とする請求項１乃至４のいずれかに記載の回転スライド動作を有するドア又は類似の開閉装置の据付機構。
【請求項６】
上記ロッド（２５）と上記アーム（１７）との非溶接接合を行うために設けられる上記連結固定部材（２７）は、
端部で開口する縦方向溝（４６）を有した、拡張する筒状挿入体（４５）と、
上記筒状挿入体（４５）に同軸的に組み合わされ、円錐部分を上記筒状挿入体（４５）に向けて上記ロッド（２５）の端部（２５ａ）に挿入される円錐台状の第１くさびブロック（４７）であって、上記ロッド（２５）から突出して、上記アーム（１７）の対応する端部に開口した取付座（４８）に挿入される回転防止舌部（４７ａ）が設けられた第１くさびブロック（４７）と、
上記筒状挿入体（４５）に同軸的に組み合わされ、上記筒状挿入体（４５）に対して上記第１くさびブロック（４７）とは反対側に設けられ、軸線方向にねじ孔（５０）が設けられた円錐台状の第２くさびブロック（４９）と、
上記筒状挿入体（４５）に同軸的に組み合わされ、上記第１くさびブロック（４７）とその回転防止舌部（４７ａ）とに設けられた軸方向孔（５２）を貫通し、上記第２くさびブロック（４９）の上記ねじ孔（５０）に螺合して、上記第１くさびブロック（４７）を上記アーム（１７）に固定すると共に、上記第２くさびブロック（４９）を引き寄せて、２つの上記くさびブロック（４７，４９）の間に上記筒状挿入体（４５）を挟み込んで圧迫するねじ部材（５１）とによって構成され、
上記筒状挿入体（４５）、上記第１くさびブロック（４７）及び上記第２くさびブロック（４９）が挿入される上記ロッド（２５）の端部は、円形断面を有した筒状をなすことと特徴とする請求項１乃至５のいずれかに記載の回転スライド動作を有するドア又は類似の開閉装置の据付機構。
【請求項７】
上記フレーム（１５）の２つのわき柱（１８，１９）の間隔を調整するための上記手段は板状部材（５３）によって構成され、
上記板状部材（５３）は、上記２つのわき柱（１８，１９）の一方に固定されており、上記ガイド（１３）を形成する上記成形体の端部において上記長手方向溝（３１）内に挿入されると共に、上記板状部材（５３）が挿入されている領域において上記成形体の２つの対向する縦壁（３７）に形成された孔（５５）を貫通するねじ部材（５４）によって上記成形体に固定され、
上記ねじ部材（５４）は、上記成形体を締め付けることにより、対向する上記２つの水平部（３０）の間に上記板状部材（５３）を固定することを特徴とする請求項１乃至６のいずれかに記載の回転スライド動作を有するドア又は類似の開閉装置の据付機構。
【請求項８】
上記成形体は、上記２つのわき柱（１８，１９）の間隔を調整するための上記板状部材（５３）が挿入される領域において、複数対の互いに対向する孔（５５，５５ａ，５５ｂ）を有し、
上記ねじ部材（５４）は、上記複数対の孔（５５，５５ａ，５５ｂ）のうち、上記成形体の所望の長さ及び上記成形体に対して定められた上記板状部材（５３）の位置に応じて選択された１対の孔に螺合することを特徴とする請求項７に記載の回転スライド動作を有するドア又は類似の開閉装置の据付機構。
【請求項９】
上記板状部材（５３）は、Ｌ型ブラケット（６４）の一部であって、上記成形体の端部に挿入される上記板状部材（５３）に直交する上記Ｌ型ブラケット（６４）の残りの部分は、上記わき柱（１９）に固定されることを特徴とする請求項７又は８に記載の回転スライド動作を有するドア又は類似の開閉装置の据付機構。
【請求項１０】
上記Ｌ型ブラケット（６４）とは反対側となる部分において、上記ガイド（１３）を形成する上記成形体は、プレート（６６）及び複数のねじ（６６ａ）、或いは他の同等な部材を用いて上記第１わき柱（１８）に固定されていることを特徴とする請求項９に記載の回転スライド動作を有するドア又は類似の開閉装置の据付機構。
【請求項１１】
上記Ｌ型ブラケット（６４）とは反対側となる部分において、上記ガイド（１３）を形成する上記成形体は、上記２つのわき柱（１８，１９）の間隔を調整するための手段を用いて上記第１わき柱（１８）に連結されていることを特徴とする請求項９に記載の回転スライド動作を有するドア又は類似の開閉装置の据付機構。
【請求項１２】
上記２つのわき柱（１８，１９）の間隔を調整するための手段は、上記ガイド（１３）の上記反対側の端部に挿入される第２板状部材（５３）と、上記第１わき柱（１８）に固定するための部位（５６）とからなる第２Ｌ型ブラケット（６４）によって構成されることを特徴とする請求項１１に記載の回転スライド動作を有するドア又は類似の開閉装置の据付機構。
【請求項１３】
上記第３回転軸（２６）を規定する上記ロッド（２５）は、円形断面を有した管状部材によって構成されることを特徴とする請求項１乃至１２のいずれかに記載の回転スライド動作を有するドア又は類似の開閉装置の据付機構。
【請求項１４】
上記第１軸支手段のための上記スライド手段は、上記ガイド（１３）内に配設された少なくとも四つの回転輪（５８）を有する往復台（５７）によって構成されることを特徴とする請求項１乃至１３のいずれかに記載の回転スライド動作を有するドア又は類似の開閉装置の据付機構。
【請求項１５】
上記ガイド（１３）を形成する上記成形体の内側には、内側上面（６０）及び上記水平部（３０）から内方に対称的に突出する４つの長手方向リブが設けられて、それぞれのリブが上記ガイド（１３）内に上記往復台（５７）の脱輪防止用及び固着防止用レールを形成していることを特徴とする請求項１乃至１４のいずれかに記載の回転スライド動作を有するドア又は類似の開閉装置の据付機構。
【請求項１６】
上記第１軸支手段は、上記往復台（５７）の本体（５７ａ）から突設されたピン（６１）によって形成され、上記ピン（６１）は、上記開閉体（１２）の上縁部（６３）に配設されたプレート（６８）を貫通するように設けられて、その端部にねじ山が形成されており、上記ピン（６１）の端部の上記ねじ山に螺合するゆるみ止めナット（６１ａ）を用いて上記プレート（６８）に固定されていることを特徴とする請求項１乃至１５のいずれかに記載の回転スライド動作を有するドア又は類似の開閉装置の据付機構。
【請求項１７】
上記第２回転軸（１２０）は、上記わき柱（１１８）の内側の空間に挿入された管状ロッド（１２５）によって規定され、
上記管状ロッド（１２５）は、連結固定部材（１２７）により下方に配置されている第１板状部材（１３８）に固定され、
上記第１板状部材（１１８）は、上記開口空洞（１３９）内を上記台座（１４０）の内方或いは外方に向けてスライド可能であって、
上記２つのアーム（１１７）の一端（１２２）には、上記ロッド（１２５）が連結固定され、上記アーム（１１７）の他端（１２４）は、上記他端（１２４）から突設された筒状体（１４１）を、対応する形状を有して上記開閉体（１１２）縁部に固定された回転リング（１４２）内に挿入することにより上記開閉体（１１２）に固定され、
上記筒状体（１４１）は、上記第３回転軸（１２６）を規定することを特徴とする請求項１乃至４，６乃至１２，１５及び１６のいずれかに記載の回転スライド動作を有するドア又は類似の開閉装置の据付機構。
【請求項１８】
請求項１乃至１７のいずれかに記載の据付機構が設けられたことを特徴とする回転スライド動作を有するドア。
【発明の詳細な説明】
【技術分野】
【０００１】
本発明は、回転スライド動作を有するドア又は類似する開閉装置の据付機構に関する。
【背景技術】
【０００２】
近年、回転スライド動作により開閉可能なドアが知られている。
一般的に、このようなドアは、開閉体に以下のような部材が組み合わされることにより構成されている。
・ドアのフレームにおける上部梁部材に組み付けられたガイド内でスライド可能に配設された移動手段に対し、開閉体をそのほぼ中央領域において軸支させるための鉛直方向の第１軸を規定する第１軸支手段。
【０００３】
・上記第１軸支手段の軸線と平行な軸線を有し、第１上部アームと第２下部アームとからなる２つのアームを軸支する第２軸支手段。上記２つのアームの一端は、わき柱に近接するドアのフレームに軸支されて第２回動軸を規定する。上記２つのアームの他端は、上記第１軸と第２軸との間に位置すると共に開閉体を上下方向に貫通して第３回動軸を規定するロッドを介して互いに強固に連結されている。
【０００４】
このような機構を用いることにより、利用者がドアを例えば外側に向けて開けるために開閉体を押すと、第１軸の周りに開閉体が回動し、この回動によって２つのアームが第３軸周りに開閉体とは逆方向に同時に回動する。
開閉体及び２つのアームの両方が回動する第２軸は、上記アームによって、第３軸に対して円弧状の軌道の上を、開閉体の開放方向とは逆の方向に移動させられる。
【０００５】
同時に第１軸は、スライド手段によって自らに平行な状態で、アームが連結されているわき柱に向けて移動する。
このような機構によって開閉体に与えられる動作は、図１０に概要が示されており、ドアのわき柱に蝶番で普通に支持された開閉体を開閉することによって使用される体積を減少させることが可能となる。
【０００６】
例えば集中した壁などにいくつかのドアを隣接して設けなければならない場合、２つのドアを開こうとするときに、一方のドアによって他方のドアを正しく完全に開くことができなくなる可能性があるが、このような場合に上述した動作機構は顕著な効果をもたらすものとなる。
また、回転スライド式ドアの開閉体は、一般的に両側に開くことが可能であるので、そのようなドアを通り抜けることが容易になると共に、押すか引くかによって利用者がいずれか都合のよい方向を選択してドアを開くことが可能となる。
【０００７】
更に、このような機構を備えたドアは、特に病院や集会所のような環境だけではなく、障害を持つ人が使用する人家においても適用可能であり、利用者と開閉体のハンドルとの間の距離の減少は、ドアの開閉を一層単純化し、例えば車いすに座った人や松葉杖をついた人が安定した状態から危険な状態となるまで傾かずにすむ。
上述した機構は、本発明と同じ出願人によって１９９２年８月１０日になされた特許文献１に示された主題である。
【特許文献１】イタリア国実用新案登録願第ＶＥ９２Ｕ００００２６号明細書
【発明の開示】
【発明が解決しようとする課題】
【０００８】
このような回転スライド運動を有するドアの据付機構を、様々な寸法のドアやその他の開閉装置に設けるのは、専門家にとっても困難となる場合がある。
本発明の狙いは、わずかで単純な機構の構成によって、様々な寸法のドアやその他の開閉装置に適用可能な、回転スライド動作を有するドア又は類似の開閉装置の据付機構を提供することにある。
【０００９】
このような狙いの中で、本発明の目的は、わき柱に対して開閉体の位置を容易に設定可能な機構を提供することにある。
本発明の更なる目的は、ドアが設けられる壁の幅方向のいかなる位置においても設置可能な機構を提供することにある。
本発明のもう１つの目的は、様々な高さを有する開閉体に適用可能な機構を提供することにある。
【００１０】
本発明のもう１つの目的は、特別な技能を有した人でなくても容易に据え付け可能な機構を提供することにある。
本発明のもう１つの目的は、公知の装置及び技術を用いて経済的に製造可能な機構を提供することにある。
【課題を解決するための手段】
【００１１】
これらの狙い及び目的、並びに後に明らかとなる目的を達成するため、本発明の回転スライド動作を有するドア又は類似の開閉装置の据付機構は、開閉体等と組み合わせて用いられる部材が、
ドア又は類似の開閉装置のフレームにおける上部又は下部梁部材に組み付けられているガイド内でスライド可能に設けられた移動手段に対し、上記開閉体をそのほぼ中央領域において軸支するための鉛直方向の第１軸を規定する第１軸支手段と、
上記第１軸支手段の軸線と平行な軸線を有して、第１上部アーム及び第２下部アームからなる２つのアームの一端である第１端部を、わき柱に近接する上記フレームに軸支して第２回転軸を規定する第２軸支手段とを備え、上記第１上部アーム及び第２下部アームの他端である第２端部が上記開閉体に連結されることにより、上記第１軸と第２回転軸との間に位置して上記開閉体を上下方向に貫通する第３回転軸が規定されている、回転スライド動作を有するドア又は類似の開閉装置の据付機構において、
上記第２軸支手段は、近接する側のわき柱からの上記第２回転軸の距離を調整するための手段により上記フレームに固定されており、上記第２端部は、上記開閉体を上下に貫通して上記第３回転軸を規定するロッドによって互いに連結され、上記ロッドは、上記第１上部アーム及び第２下部アームの少なくとも一方に、連結固定部材を用いて非溶接接合により固定されていることを特徴とする。
【発明を実施するための最良の形態】
【００１２】
図を参照すると、本発明に係る機構を設けられたドアが、図１乃至図７に例示された第１実施形態において符号１０で示されている。
本発明の限定されない実施形態において、ドア１０に適用された機構は、開閉体１２及びこの開閉体を取り囲むフレーム１５に組み付けられた以下の部材からなる。
・ドア１０のフレーム１５における上部梁部材１４に組み付けられたガイド１３内でスライド可能に配設された移動手段に対し、開閉体１２をそのほぼ中央領域において軸支するための鉛直方向の第１軸１１を規定する第１軸支手段。
【００１３】
・第１軸支手段の軸線と平行な軸線を有し、第１上部アーム１６と第２下部アーム１７のそれぞれの一端である第１端部２１及び２２を、第１わき柱１８に近接するフレーム１５に軸支し、第２回転軸２０を規定する第２軸支手段。第１上部アーム１６及び第２下部アーム１７のそれぞれの他端である第２端部２３及び２４は、第１軸１１と第２回転軸２０との間に位置して第３回転軸２６を規定するロッド２５によって互いに固定的に連結されており、ロッド２５は開閉体１２内を上下方向に貫通している。
【００１４】
ロッド２５は、円形断面を有した管状部材によって構成されている。
従って、フレーム１５は、２つのわき柱１８及び１９と、梁部材１４とによって構成される。
第２軸支手段は、近接するわき柱１８からの第２回転軸２０の距離を調整するための手段を介してフレーム１５に連結固定されている。
【００１５】
本実施形態においてロッド２５は、ロッド２５と下部アーム１７との間の非溶接接合を行うべく設けられた、後に詳細を説明する連結固定部材２７によって下部アーム１７に固定されている。
また本機構は、フレーム１５の２つのわき柱１８及び１９の間隔を調整するための手段を有している。
【００１６】
ガイド１３は、上部梁部材１４に固定された成形体によって構成され、この成形体は下方への開口２８を有した略Ｃ字状の断面形状をなしている。
開口２８を有した成形体における両水平部３０の対向する端部２９のそれぞれには、長手方向溝３１が設けられている。
近接するわき柱１８からの第２回転軸２０の距離を調整するための手段は、第１上部アーム１６についてはプレート３２によって構成される。このプレート３２は、互いに対向する長手方向溝３１内に挿入可能な２つの縁部３２ａを両端に有している。
【００１７】
プレート３２には第１筒状体３３が突設されており、これに対応する形状を有して第１アーム１６の第１端部２１に固定された第１回転リング３４内に挿入されるようになっている。
プレート３２は、長手方向溝３１内で成形体の長手方向に移動してその位置を設定可能となっている。
【００１８】
設定された位置は、プレート３２が挿入されている領域の近傍において、成形体の２つの対向する縦壁３７に開口した孔３６を貫通する第１ねじ部材３５を用いて固定される。
このねじ部材３５は、例えば中空の頭部を有したねじであって、成形体を締め付けることにより、２つの対向する水平部３０の間にプレート３２を固定することができるようになっている。
【００１９】
近接するわき柱１８からの第２回転軸２０の距離を調節するための手段は、第２下部アーム１７については第１板状部材３８によって構成される。この第１板状部材３８は、わき柱１８の下部に固定された台座４０の開口空洞３９内に第１部位３８ａが挿入され、残りの第２部位３８ｂが突出して第２筒状部材４１を支持している。
第２筒状部材４１は、これに対応する形状を有して第２アーム１７の対向する端部２２に固定された第２回転リング４２内に挿入されるようになっている。
【００２０】
第１板状部材３８は、開口空洞３９内を台座４０の内方或いは外方に向けてスライドして第２筒状部材４１の位置を変更することが可能であり、第２筒状部材４１は第１筒状部材３３と同一軸線上にあって第２回転軸２０を規定している。
第２筒状部材４１の位置は、第２ねじ部材４３を用いて固定される。この第２ねじ部材４３は、例えばドエルボルトからなり、台座４０に設けられると共に開口空洞３９の長手軸線に直交する軸線を有して開口空洞３９内に開口したねじ孔に螺合する。
【００２１】
第２ねじ部材４３は、板状部材３８の第１部位３８ａの側部に突き当たるまでねじ込まれる。
ここで述べている本発明の実施形態において台座４０は、台座４０に直角に固定されている板状部４０ａに配設された４つのねじ６５を用いてわき柱１８に固定される。
図７に示されるように、ロッド２５と第２アーム１７とを非溶接接合するための連結固定部材２７は、端部において開口する縦方向溝４６を有した拡張する筒状挿入体４５によって構成される。
【００２２】
ロッド２５は円形断面を有した管状体である。
挿入体４５を拡大させてロッド２５端部の内側で保持するため、以下の部材が挿入体４５に対して同軸的に連結される。
・円錐部分を筒状挿入体４５に向けてロッド２５の端部２５ａ内に挿入される第１円錐台状ブロック４７であって、ロッド２５の端部２５ａから突出した回転防止舌部４７ａを有し、上記回転防止舌部４７ａが、アーム１７の対応する端部に開口した取付座４８に挿入可能に形成された第１円錐台状くさびブロック４７。
【００２３】
・筒状挿入体４５に対して第１くさびブロック４７とは反対側に設けられ、軸線方向にに形成されたねじ孔５０を有する第２円錐台状くさびブロック５１。
・第１くさびブロック４７及び第１舌部４７ａに設けられた軸方向孔５２を貫通し、第２くさびブロック４９のねじ孔５０に螺合して、第１くさびブロック４７をアーム１７に固定すると共に、第２くさびブロック４９を引き寄せられて、２つのくさびブロック４７及び４９の間に筒状挿入体４５を挟み込んで圧迫する第２ねじ部材５１。
【００２４】
連結固定部材２７により、ロッド２５を、このロッド２５に取り付けられる開閉体１２の高さに適合させることが可能となる。
作業者は、標準的な長さを有したロッド２５を切断して所望の長さとした後、連結固定部材２７を用いて第２アーム１７に固定することができる。
連結固定部材２７は、２つの部材間の安定した結合を保証し、高コストで作業が難しく変形や歪みを生じる危険のある溶接作業を行わずにすむ。
【００２５】
フレーム１５のわき柱１８及び１９の間隔を調整するための手段は第２板状部材５３によって構成される。この第２板状部材５３は第２わき柱１９に固定され、ガイド１３を形成する成形体の端部において長手方向溝３１内に挿入されるようになっている。
第２板状部材５３は、第２板状部材５３が挿入される領域に近接した成形体の２つの対向する縦壁３７の孔５５を貫通する第３ねじ部材５４によって固定される。
【００２６】
第３ねじ部材５４は、第１ねじ部材３５と同様に、成形体を締め付けることによって２つの対向する水平部３０の間に板状部材５３を固定する。
成形体は、第２板状部材５３が挿入される領域において、図３及び図４に符号５５，５５ａ及び５５ｂで示される複数対の対向する孔を有しており、これらのうちの１対の孔に第３ねじ部材５４を結合させることができるようになっている。このような孔の対は、成形体の所望の長さ、及びこの成形体に対して定められる第２板状部材５３の位置に応じて選択される。
【００２７】
２つのわき柱の間隔が定まると、作業者は標準的な長さを有した成形体の寸法決めを行う。
第２板状部材５３は、第３ねじ部材５４の位置に最も近い孔５５，５５ａ，５５ｂの対に第３ねじ部材５４を挿入することにより、成形体内に固定される。
第２板状部材５３はＬ型ブラケット６４の一部であって、第２板状部材５３に直角となっているＬ型ブラケット６４の残部５６は、例えばねじ６７を用いてわき柱１９に固定されるようになっている。
【００２８】
ガイド１３を形成する成形体の、Ｌ型ブラケット６４とは反対側となる部分は、プレート６６及び複数のねじ６６ａを用いて第１わき柱１８に安定して固定される。
本発明の第１実施形態の変形例では、簡略化のために図示はしていないが、Ｌ型ブラケット６４とは反対となる部分において、ガイド１３を形成する成形体が、上述したような２つのわき柱１８，１９の間隔を調整するための手段を用いて第１わき柱１８に連結されている。即ち、ガイド１３の他端側に挿入される第２板状部材５３と第１わき柱１８に固定される部位５６とからなる同様の第２のＬ型ブラケット６４を用い、上述した第２わき柱１９とガイド１３との連結と同様にして成形体が第１わき柱１８に連結される。
【００２９】
第１軸支手段のスライド手段は、６つの回転輪５８を備えてガイド１３内にスライド可能に設けられた往復台５７によって構成される。
ガイド１３を形成する成形体の内部には、４つの長手方向リブ５９が設けられており、これらリブ５９のうちの２つは内側上面６０から内方に向けて対称的に突設され、他の２つは水平部３０から突設されて、それぞれが往復台５７の脱輪防止用及び固着防止用レールを形成している。
【００３０】
往復台５７の６つの回転輪のうちの４つが上部のリブ５９上で往復台５７を支持すると共に２つが上部のリブ５９上を移動して往復台５７の回動と固着を回避している。
第１軸支手段は、往復台５７の本体５７ａから突設されて開閉体１２の対向する上端６３に挿入されるピボット６１によって形成される。
ピボット６１はねじ部材として設けられる。
【００３１】
また本発明の第１実施形態では、開閉体１２の端部６３に装着されるように構成されてロッド２５が通過するための孔を有したプレート６８を、ピボット６１が貫通している。
ピボット６１を形成するねじ部材は、プレート６８と端部６３との間に収容されたナット６１ａを用いてプレート６８に固定されている。
第２実施形態において、図８及び図９に例示されると共に符号１１０によって示された機構は、第１実施形態におけるロッド２５と全く同じ管状のロッド１２５を有しており、このロッド１２５がわき柱１１８内に挿入されて第２回転軸１２０を形成している。
【００３２】
ロッド１２５は、第１実施形態の機構１０における第１端部２３及び２４に代えて、２つのアームの第１端部に固定されている（図８には、第２下部アーム１１７の第１端部１２２が示されている）。
管状のロッド１２５は、わき柱１１８内の空間１８０内に配置され、連結固定部材１２７によって下方に配設された第１板状部材１３８に固定されている。
【００３３】
空間１８０は、その内部において管状ロッド１２５の移動を可能とする大きさを有しており、第１板状部材１１８は、第１実施形態の機構１０における動きと同様に、開口空洞１３９内を台座１４０の内方或いは外方に向けてスライドできるようになっている。
第２アーム１１７は、第２アーム１１７の第１端部１２４から上方に突設された筒状体１４１を介して開閉体１１２に固定されており、この筒状体１４１は、対応する形状を有して開閉体１１２の下端１８１に固定された第２回転リング１４２内に挿入されている。
【００３４】
筒状体１４１は、第１上部アームの第１端部から筒状体１４１と同軸的に突設された同様の筒状体(図示せず)と共に第３回転軸１２６を形成する。
以上のように、上述した本発明が、意図する狙い及び目的を達成することが実際に確認された。即ち、本発明は、わずかで簡単な機械的作業により、様々な大きさのドアや開閉装置に適用可能な、回転スライド動作を有するドア又は類似の開閉装置の据付機構を提供するものである。
【００３５】
また本発明は、わき柱に対する開閉体の位置を容易に設定することが可能な機構を提供する。
更に本発明は、ドアが設けられる壁の、幅方向におけるいかなる位置にも配置可能な機構を提供する。
また本発明は、様々な高さを有する開閉体に適用可能な機構を提供する。
【００３６】
更に本発明は、特別な技能を持たない人でも容易に据付可能な機構を提供する。
また本発明は、公知の装置及び技術を用いて経済的に製造可能な機構を提供する。
このように考案されたな本発明は、様々な変形及び変更が可能であるが、それらは全て添付の特許請求の範囲内に含まれるものであり、詳細にわたりいずれも別の技術的均等物との置き換えが可能である。
【００３７】
寸法並びに使用される材料は、特定の使用に適合するものである限り、必要性及び技術の状況に応じたものとすることができる。
本願が優先権を主張するイタリア国特許出願ＰＤ２００５Ａ０００２７５号において開示するものは、参照によりここに編入されるものである。
【図面の簡単な説明】
【００３８】
【図１】ドアに適用された、本発明に係る第１実施形態の機構の分解斜視図である。
【図２】本発明に係る機構における第１の細部について、部分的断面を示す分解斜視図である。
【図３】本発明に係る機構における第２の細部についての分解斜視図である。
【図４】本発明に係る機構における第３の細部についての正面断面図である。
【図５】図４のV−V線に沿う断面図である。
【図６】本発明の更なる細部について、部分的断面を示す側面図である。
【図７】本発明に係る連結固定部材の分解斜視図である。
【図８】本発明の第２実施形態に係る機構の側面断面図である。
【図９】本発明に係る図８の第２実施形態における機構の上面断面図である。
【図１０】本発明に係る機構が生じさせる開閉体の動作を示す概略上面図である。
【図１】
2009509071.tif 000003
【図２】
2009509071.tif 000004
【図３】
2009509071.tif 000005
【図４】
2009509071.tif 000006
【図５】
2009509071.tif 000007
【図６】
2009509071.tif 000008
【図７】
2009509071.tif 000009
【図８】
2009509071.tif 000010
【図９】
2009509071.tif 000011
【図１０】
2009509071.tif 000012
【国際調査報告】
2009509071.tif 000013
2009509071.tif 000014